(57)【要約】【課題】  商品陳列棚の内部や外部にテーブルを場所取ることがないうえに体裁よく組み込んで全体として統一のとれた商品展示を行うことのできる商品陳列棚用補助テーブルを提供する。【解決手段】  多数の係合孔１１ａが所要間隔をおいて配設されている支柱１１の適数本を連結桁材１２により連結して枠状とした外フレーム１に商品展示用主部材２を組み込んだ組立式の商品陳列棚に補助的に組み込むことのできる商品陳列棚用補助テーブルであって、両端に形成されたフック部によって前記した外フレーム１の所要の対向する支柱１１、１１の係合孔１１ａに係合されて両支柱１１、１１間に着脱自在に張架される卓板支持部材４と、この卓板支持部材４に一部端縁を支持させた卓板３１と、この卓板３１の下面に着脱または折畳自在に取り付けられる長さ調節自在な脚材５とよりなることを特徴とする。【選択図】  図１
2006094875.tif 000002
【特許請求の範囲】
【請求項１】
多数の係合孔が所要間隔をおいて配設されている支柱の適数本を連結桁材により連結して枠状とした外フレームに商品展示用主部材を組み込んだ組立式の商品陳列棚に補助的に組み込むことのできる商品陳列棚用補助テーブルであって、両端に形成されたフック部によって前記した外フレームの所要の対向する支柱の係合孔に係合されて両支柱間に着脱自在に張架される卓板支持部材と、この卓板支持部材に一部端縁を支持させた卓板と、この卓板の下面に着脱または折畳自在に取り付けられる長さ調節自在な脚材とよりなることを特徴とする商品陳列棚用補助テーブル。
【請求項２】
卓板がその後端縁を外フレームの外側から卓板支持部材に支持させるとともに、前部下面に取り付けられる長さ調節自在な脚材により前部を支持させて、外フレームの外部に張出させた請求項１に記載の商品陳列棚用補助テーブル。
【請求項３】
卓板がその両側縁を外フレームに内側に対向して張架した一対の卓板支持部材に支持させるとともに、前部下面に取り付けられる長さ調節自在な脚材により前部を支持させて、少なくとも後部が外フレームの内部に位置させた請求項１に記載の商品陳列棚用補助テーブル。
【発明の詳細な説明】
【技術分野】
【０００１】
本発明は、店頭に設置された既設の商品陳列棚の内部や外部にテーブルを場所取ることがなく組み込んで全体として統一のとれた商品展示を行うことができるようにした商品陳列棚用補助テーブルに関するものである。
【背景技術】
【０００２】
百貨店や量販店、専門店などにおいては、特許文献１にも見られるような、多数の係合孔が所要間隔をおいて縦に配設されている支柱の適数本を連結桁材により連結した棚フレームに棚板、ハンガー架け用バーや展示ボックスなどの商品展示用主部材を組み込んだ組立式の商品陳列棚が広く用いられているが、目玉商品を目立たせて展示したい場合その他一時的に展示商品を追加したい場合などには、特許文献２のように商品陳列棚の内部や外部にワゴンや脇机をおいて展示するのを普通としており、このためワゴンや脇机の設置に場所取るうえに全体としての統一がとれないという問題があった。
【特許文献１】特開平７−２４６１３９号公報（図１、図５参照）
【特許文献２】特開２０００−１１６６８１号公報（図９参照）
【発明の開示】
【発明が解決しようとする課題】
【０００３】
本発明が解決しようとするところは、前記のような問題を解決して、一時的に展示商品を追加したい場合などに、商品陳列棚の内部や外部にテーブルを場所取ることがないうえに体裁よく組み込んで全体として統一のとれた商品展示を行うことのできる商品陳列棚用補助テーブルを提供することにある。
【課題を解決するための手段】
【０００４】
前記のような課題を解決した本発明の商品陳列棚用補助テーブルは、多数の係合孔が所要間隔をおいて配設されている支柱の適数本を連結桁材により連結して枠状とした外フレームに商品展示用主部材を組み込んだ組立式の商品陳列棚に補助的に組み込むことのできる商品陳列棚用補助テーブルであって、両端に形成されたフック部によって前記した外フレームの所要の対向する支柱の係合孔に係合されて両支柱間に着脱自在に張架される卓板支持部材と、この卓板支持部材に一部端縁を支持させた卓板と、この卓板の下面に着脱または折畳自在に取り付けられる長さ調節自在な脚材とよりなることを特徴とするものを基本とし、これを請求項１の発明とする。なお、具体的には、卓板がその後端縁を外フレームの外側から卓板支持部材に支持させるとともに、前部下面に取り付けられる長さ調節自在な脚材により前部を支持させて、外フレームの外部に張出させてもよいし、卓板がその両側縁を外フレームに内側に対向して張架した一対の卓板支持部材に支持させるとともに、前部下面に取り付けられる長さ調節自在な脚材により前部を支持させて、少なくとも後部が外フレームの内部に位置させてもよく、これらを請求項２および請求項３の発明とする。
【発明の効果】
【０００５】
前記したように本発明は、両端に形成されたフック部によって外フレームの所要の対向する支柱の係合孔に係合されて両支柱間に着脱自在に張架される卓板支持部材の卓板支持部に一部端縁を支持させた卓板の下面に長さ調節自在な脚材を着脱または折畳自在に取り付けたものであるから、該卓板は一部端縁と脚材により所定の高さに的確に支持されて外フレームに場所取ることがなく体裁よく組み込んだものとなる。
【０００６】
そして、目玉商品を目立たせて展示したい場合その他一時的に展示商品を追加したい場合などには、前記卓板上に陳列することにより、外フレームに組み込んだ商品展示用主部材に陳列した商品と統一のとれた商品展示を行うことのできるものである。
【発明を実施するための最良の形態】
【０００７】
次に本発明の二つの実施形態につき図を参照して説明する。
〔第１の実施形態〕
先ず、図１〜図５に示す第１の実施形態につき詳細に説明する。
図１において、１は外フレームであり、この外フレーム１は多数の係合孔１１ａを上下に所要間隔をおいて配設されている支柱１１の適数本を連結桁材１２により連結して枠状としたものである。なお、具体的にはこの外フレーム１は、３本の支柱１１を外側の２本の支柱１１、１１同士を上端間に連設した上部前後連結桁材１２ａと下端間を別材とした下部前後連結桁材１２ｂで連結したうえ上部前後連結桁材１２ａと下部前後連結桁材１２ｂとの中間に中間用の支柱１１を張架した左右のフレーム枠部１ａ、１ａを、両フレーム枠部１ａ、１ａの上部前後連結桁材１２ａ、１２ａ同士と下部前後連結桁材１２ｂ、１２ｂ同士の中間を上部左右連結桁材１２ｃと下部左右連結桁材１２ｄにより連結したものである。そして、この外フレーム１に棚板よりなる商品展示用主部材２を組み込んで組立式の商品陳列棚を構成している。
【０００８】
３は前記組立式の商品陳列棚に補助的に組み込むことのできる商品陳列棚用補助テーブルであって、この商品陳列棚用補助テーブル３は両端に形成されたフック部４ａによって前記した外フレーム１の所要の対向する支柱１１の係合孔１１ａに係合されて両支柱１１、１１間に着脱自在に張架される卓板支持部材４に一部端縁である後端縁を支持させた卓板３１と、この卓板３１の前部下面に着脱自在に取り付けられる長さ調節自在な２本の脚材５、５とよりなるものである。なお、左右のフレーム枠部１ａ、１ａは前記したように２本の外側の支柱１１、１１と中間の支柱１１とで構成したものであるから、前記外フレーム１の所要の対向する支柱１１は、外側の２本の支柱１１、１１に対して中間の支柱１１が対向したものとなる。
【０００９】
なお、この実施形態では卓板支持部材４として図４及び図５に示すように商品展示用主部材２である陳列棚を支柱１１に支持するための棚受金具を利用して、両端のフック部４ａ、４ａの間に帯板状の棚受部を形成したものとして、この棚受部に卓板３１の後端面に取り付けた鉤金具６を係止して該卓板３１の後端縁を前記卓板支持部材４に支持させて外フレーム１の外部に張出させている。この場合に卓板３１の後端面を支柱１１に当接させて、図２に示すように鉤金具６の垂直板部６１に設けた雌ねじ部６ａに止めねじ６ｂを螺合して、該止めねじ６ｂの先端を卓板支持部材４としての棚受金具の帯板状の棚受部の側面に当接すれば、卓板３１の後端面が支柱１１に強く押圧されて該卓板３１の後端縁が固定されるので、卓板３１上の商品を取り扱う際に該卓板３１に身体が接触しても卓板３１の後端縁が卓板支持部材４から外れる虞がないものである。
【００１０】
また、脚材５は上端に中央にボルト部５ａを設け、該ボルト部５ａを卓板３１の前部下面に設けたナット部３１ｂに螺合させて、着脱自在としたものであるが、特にこれに限定されるものではなく単なる挿し込み式等の他の手段を採用してもよい。また、脚材５を長さ調節自在とする手段としては、図２に示すように円柱状の下脚材部５１を円筒状の上脚材部５２に上下動自在に嵌合したうえ、該上脚材部５２の下端に設けた縦スリット付の雄ネジ部５２ａをナット部材５２ｂにより締め緩めすることのより下脚材部５１を上脚材部５２に位置調節自在に固定したものや、図３に示すように下脚材部５１を筒状の上脚材部５２に上下動自在に嵌合したうえ該上脚材部５２の側面に設けた雌ねじ部５２ｃに螺合した止めねじ５２ｄにより下脚材部５１を上脚材部５２に位置調節自在に固定したものも採用しているが、特にこれらに限定されるものではない。なお、脚材５はヒンジ金具により卓板３１の前部下面に取り付けて折畳自在としてもよい。
【００１１】
このように構成された第１の実施形態のものは、商品陳列棚用補助テーブル３は両端に形成されたフック部４ａ、４ａによって外フレーム１の所要の対向する支柱１１の係合孔１１ａに係合されて両支柱１１、１１間に着脱自在に張架される卓板支持部材４に一部端縁である後端縁を支持させた卓板３１の前部下面に着脱自在に取り付けられる長さ調節自在な２本の脚材５、５とよりなり、外フレーム１の外部に張出させているので、卓板支持部材４のフック部４ａ、４ａの係合する支柱１１の係合孔１１ａを任意の高さのものに選択するとともに、これに対応させて脚材５、５の長さを調節すれば、卓板３１は任意の高さで外フレーム１に場所取ることがなく体裁よく組み込んだものとなる。
【００１２】
これにより、目玉商品を目立たせて展示したい場合その他一時的に展示商品を追加したい場合などには、前記卓板３１上に陳列することにより、外フレーム１に組み込んだ商品展示用主部材２に陳列した商品と統一のとれた商品展示を行うことのできるものである。また、卓板３１は一部端縁すなわち後端縁を外フレーム１に支持されているのみならず前部下面を脚材５により支持されているものであるから、重い商品も展示することができるものである。
【００１３】
また、卓板３１はその後端縁を支柱１１の係合孔１１ａに両端のフック部４ａ、４ａを係合させた卓板支持部材４に支持させ、前部下面を着脱自在又は折畳自在な長さ調節自在な脚材５により支持したものであるから、使用しない場合には、外フレーム１から取り外して脚材５を取り外したり、折り畳むことにより場所をとることなく保管することができる。
【００１４】
〔第２の実施形態〕
続いて、図６〜図７に示す第２の実施形態につき詳細に説明する。
図６において、１は外フレームであり、この外フレーム１は多数の係合孔１１ａを上下に所要間隔をおいて配設されている支柱１１の適数本、すなわち前後の支柱１１、１１の係合孔１１ａが対向するようにして上部前後連結桁材１２ａと下部前後連結桁材１２ｂに連結した左右のフレーム枠部１ａ、１ａを所要の間隔をもって、両フレーム枠部１ａ、１ａの後部側の支柱１１、１１同士を上部左右連結桁材１２ｃと下部左右連結桁材１２ｄにより連結して枠状としたものである。そして、この外フレーム１には棚板である商品展示用主部材２を組み込んで組立式の商品陳列棚を構成している。
【００１５】
３は前記組立式の商品陳列棚に補助的に組み込むことのできる商品陳列棚用補助テーブルであって、この商品陳列棚用補助テーブル３は両端に形成されたフック部４ａ、４ａによって前記した外フレーム１の左右に位置している各フレーム枠部１ａ、１ａの対向する前後一対の支柱１１、１１間に各支柱１１の同じ高さの係合孔１１ａに係合させて両支柱１１、１１間に着脱自在に張架した対向する一対の卓板支持部材４、４に両側縁を支持させた卓板３１と、この卓板３１の前部下面に着脱自在に取り付けられる長さ調節自在な２本の脚材５、５とよりなるものである。そして、卓板３１の後部が外フレーム１の内部に位置させたものとしている。
【００１６】
なお、この実施形態では卓板支持部材４として図６に示すように商品展示用主部材２の１つであるハンガー掛け用バーを取り付けるためのバー取付金具を利用しているので、その両端のフック部４ａ、４ａの間に形成されている帯板状の取付板部に取付孔４ｂを利用して鉤金具６、６を止めねじ６ｄにより卓板支持部材４に固定することができるものとしているので卓板３１上の商品を取り扱う際に該卓板３１に身体が接触しても卓板３１の両端縁が卓板支持部材４から外れる虞がないものである。
【００１７】
また、脚材５は前記第１の実施形態の図２及び図３に示すと同様に、円柱状の下脚材部５１を円筒状の上脚材部５２に上下動自在に嵌合したうえ、該上脚材部５２の下端に設けた縦スリット付の雄ネジ部５２ａをナット部材５２ｂにより締めたり緩めることにより下脚材部５１を上脚材部５２に位置調節自在に固定したものや、下脚材部５１を筒状の上脚材部５２に上下動自在に嵌合したうえ該上脚材部５２の側面に設けた雌ねじ部５２ｃに螺合した止めねじ５２ｄにより下脚材部５１を上脚材部５２に位置調節自在に固定したものも採用しているが、特にこれらに限定されるものではない。なお、脚材５はヒンジ金具により卓板３１の前部下面に取り付けて折畳自在としてもよい。
【００１８】
このように構成された第２の実施形態のものは、商品陳列棚用補助テーブル３は両端に形成されたフック部４ａ、４ａによって外フレーム１の所要の対向する支柱１１すなわち左右のフレーム枠部１ａ、１ａのそれぞれの対向する支柱１１、１１の係合孔１１ａに係合されて両支柱１１、１１間に着脱自在に張架される卓板支持部材４、４に一部端縁である両側端縁を支持させた卓板３１と、該卓板３１の前部下面に着脱自在に取り付けられる長さ調節自在な２本の脚材５、５とよりなり、卓板３１の後部が外フレーム１の内部に位置させたものとしているので、卓板支持部材４のフック部４ａ、４ａの係合する支柱１１の係合孔１１ａを任意の高さのものに選択するとともに、これに対応させて脚材５、５の長さを調節すれば、卓板３１は任意の高さで外フレーム１に場所取ることがなく体裁よく組み込んだものとなる。
【００１９】
これにより、目玉商品を目立たせて展示したい場合その他一時的に展示商品を追加したい場合などには、前記卓板３１上に陳列することにより、外フレーム１に組み込んだ商品展示用主部材２に陳列した商品と統一のとれた商品展示を行うことのできるものである。また、卓板３１はその両側縁を支柱１１の係合孔１１ａに両端のフック部４ａ、４ａを係合させた卓板支持部材４に支持させ、前部下面を着脱自在又は折畳自在な長さ調節自在な脚材５により支持したものであるから、使用しない場合には、外フレーム１から取り外して脚材５を取り外したり、折り畳むことにより場所をとることなく保管することができる。
【図面の簡単な説明】
【００２０】
【図１】第１の実施形態を示す斜視図である。
【図２】第１の実施形態の要部を示す一部切欠側面図である。
【図３】第１の実施形態の脚材の他例を示す一部切欠側面図である。
【図４】第１の実施形態の要部を分解して示す斜視図である。
【図５】第１の実施形態の卓板支持部材と支柱の関係を示す斜視図である。
【図６】第２の実施形態を示す斜視図である。
【図７】第２の実施形態の要部を分解して示す斜視図である。
【符号の説明】
【００２１】
１  外フレーム
11  支柱
11a  係合孔
２  商品展示用主部材
３  商品陳列棚用補助テーブル
31  卓板
４  卓板支持部材
4a  フック部
５  脚材
【図１】
2006094875.tif 000003
【図２】
2006094875.tif 000004
【図３】
2006094875.tif 000005
【図４】
2006094875.tif 000006
【図５】
2006094875.tif 000007
【図６】
2006094875.tif 000008
【図７】
2006094875.tif 000009